(57)【要約】【課題】  高齢者に拘束感を与えたり、帰宅願望を引き起こさせたりすることがなく、高齢者が外に出てしまっても建物から外に出て行ってしまうことを防ぐことが可能な高齢者介護用建物を提供する。【解決手段】  高齢者介護用建物１は、高齢者に対して介護サービスを行うための建家２の内部から玄関出入口４０を介して外を見た際に、外の景色を明確には視認不可能とする遮蔽手段６２と、遮蔽手段６２によって、少なくとも左右の両側に分岐して設けられた通路６０とを有するアプローチゾーンＥを備えるものである。【選択図】        図１
2005290893.tif 000002
【特許請求の範囲】
【請求項１】
外構の一部をなし、屋内から出入口を介して外を見た際に、外の景色を明確には視認不可能とする遮蔽手段と、
該遮蔽手段によって、少なくとも左右のいずれか一方に曲げられた通路と
を有するアプローチゾーンを備えることを特徴とする高齢者介護用建物。
【請求項２】
前記通路は、
長さが１０〜２０ｍの範囲であることを特徴とする請求項１に記載の高齢者介護用建物。
【請求項３】
前記通路は、
人体を検知して、前記建家の職員に知らせる検知手段を備えることを特徴とする請求項１または請求項２に記載の高齢者介護用建物。
【請求項４】
前記出入口を有するエントランスゾーンと、
該エントランスゾーンに隣接し、該エントランスゾーンから出入りすると共に、該エントランスゾーンを通過する人を視認可能とし、建物の管理及び事務的な業務を行うマネージメントゾーンと、
前記エントランスゾーン及び前記マネージメントゾーンとに隣接し、前記エントランスゾーンを通過して出入りする、建物の職員及び入居している高齢者の共有空間となるパブリックゾーンと、
該パブリックゾーンと隣接し、該パブリックゾーンから出入りすると共に、前記アプローチゾーン、前記エントランスゾーン、及び、前記マネージメントゾーンとは、直接出入り不能とされ、入居している高齢者の個人的な空間となるプライベートゾーンと
をさらに備えることを特徴とする請求項１から請求項３までのいずれか一つに記載の高齢者介護用建物。
【発明の詳細な説明】
【技術分野】
【０００１】
本発明は、高齢者に対して種々のサービスを提供するための高齢者介護用建物に関するものである。
【背景技術】
【０００２】
従来より、高齢者に対して種々の建物を設け、その建物を利用することで種々のサービスが受けられるようになっている。そのサービスの受け方として、自宅等に居住しながら、サービスを受ける時だけ建物を利用する所謂、デイサービスと、サービスを受ける建物に入居する、入居型のサービスとがある。これらのサービスは利用者の心身的な状態に応じて異なっており、その心身的状態としては、例えば、脳梗塞等の後遺症による身体的障害、痴呆等による生活障害、等がある。そして、これら障害の種類や障害の度合に応じて、介護サービスの内容が異なるものとなっており、蓋然的に、建物もその介護サービスの内容によって異なるものとなっている。
【０００３】
そのため、入居型の建物として、例えば、介護サービスを必要としない場合は、「ケアハウス」、「軽費老人ホーム」、「有料老人ホーム（以下、特定施設と称す）」等があり、介護サービスが必要で治療の必要のない場合は、「特別養護老人ホーム」、治療や看護が常時必要な場合は、「介護療養施設（老人病院）」、その他として、特に痴呆性の高齢者を対象とした、「痴呆性高齢者グループホーム」、等のように建物が分かれており、夫々の建物で行われる介護サービスの内容に対応した機能を有するように建物が建てられていた。
【０００４】
出願人は、本願出願時において、以上の従来技術が記載されている文献を知見していない。
【発明の開示】
【発明が解決しようとする課題】
【０００５】
しかしながら、これらの従来の建物では、建物を利用している高齢者、高齢者を介護する職員、又は、付添いやお見舞いで訪れる高齢者の家族などが、単に建家に出入りしやすいように構成されていたり、高齢者が建家まで長い距離を移動しなくてもよいように玄関付近まで自動車で乗り付けることが可能な構成とされていたりしていた。このため、建家内の高齢者が居間や廊下から容易に玄関や出入する人などを見ることが可能であったり、玄関を介して容易に門や街・道路などの外の景色を容易に視認することが可能であったりすることが多かった。この場合、高齢者によっては、玄関や門扉を直接見ることによって、或いは、玄関や門を出入する人を直接見て自分の親族・知り合いと思い込んでしまうことによって、外へ出たい、或いは、家に帰りたいという帰宅願望に駆られる虞があった。
【０００６】
また、例えば、建家の出入口となる玄関から道路など建物の外側までの通路が直線的に設けられていることがあった。この場合、高齢者が職員の目が離れている隙に建家の外に出ると、そのまま玄関の出入方向を直進して短い間に建物の外側に出てしまう虞があった。特に痴呆性高齢者の場合、建物の外へ一人で出ると、車などに対する危険について認知力が低下しているため対応できず、事故に遭う可能性が高い。また、自分のいる場所が判らなくなり、建物に自力で帰ってこれない可能性も高い。
【０００７】
ここで、建物の各出入口に常に鍵を掛けておけば、痴呆性高齢者が外に出て行ってしまうことを確実に防止できると考えられるが、これにより、高齢者に拘束感を与える虞があった。
【０００８】
そこで、本発明は、高齢者に帰宅願望を引き起こさせたり、拘束感を与えたりすることがなく、職員の知らないうちに高齢者が外に出て行ってしまうことを防ぐことが可能な高齢者介護用建物の提供を課題とするものである。
【課題を解決するための手段】
【０００９】
上記の課題を解決するため、本発明にかかる高齢者介護用建物は、外構の一部をなし、屋内から出入口を介して外を見た際に、外の景色を明確には視認不可能とする遮蔽手段と、該遮蔽手段によって、少なくとも左右のいずれか一方に曲げられた通路とを有するアプローチゾーンを備えるものである。
【００１０】
ここで、高齢者介護用建物としては、建家の他に、建家に付随する庭・駐車場・外構なども含むものであり、特定施設やグループホームに加え、将来的に特定施設やグループホームなどになることを前提とした住宅・マンション・アパートなども例示できる。
【００１１】
また、遮蔽手段としては、高齢者が屋内から、その出入口を介して外を見た際に、外の景色が明確には視認不可能となれば、具体的な構成を何ら限定するものではないが、例えば、花壇、植栽、壁、塀、生垣、柵、棚、格子、オブジェ、フェンス、等を単独又は複数組合わせたものを挙げることができる。
【００１２】
したがって、本発明の高齢者介護用建物によれば、高齢者が屋内から出入口を介して外を見ても、外構の一部をなす遮蔽手段に遮られて外の景色を明確に視認することができなくなると共に、出入口から外へ出ても、遮蔽手段に遮られてそのまま直進することができず、曲がらなくてはならなくなるアプローチゾーンを備えるものである。
【００１３】
これにより、外の景色などを見ることによって高齢者が帰宅願望を引き起こすのを抑制することが可能となる。特に痴呆性高齢者の場合は、帰宅願望により周辺症状を誘発して混乱状態となることを防止できる。ここで、「周辺症状」とは、痴呆の中核的な障害である「記憶障害」「見当障害」「認知障害」があり、これらの障害にともなって現れてくる症状のことを言い、周辺症状として、「抑うつ」、「せん妄」、「幻覚」、「妄想」、「暴言」、「暴力」、「徘徊」、「異食」等の症状が挙げられる。
【００１４】
また、高齢者が、職員の目が離れている隙に建家の出入口から外側へと出てしまっても、遮蔽手段により通路が曲がっているので、その曲り角で、立ち止まらせたり、速度を落とさせたりすることが可能となり、その間に職員などが追いついて高齢者を保護することができる。
【００１５】
さらに、上記の効果を奏するアプローチゾーンを備えたことにより、敷地の出入口となる門や建家の出入口などを常に閉塞して鍵を掛ける必要がなく、それにより高齢者に対して拘束感を与えるのを抑制することができる。
【００１６】
本発明にかかる高齢者介護用建物は、上記の構成に加え、前記通路は、長さが１０〜２０ｍの範囲であるものであってもよい。
【００１７】
したがって、本発明の高齢者介護用建物によれば、通路の長さを１０〜２０ｍの範囲としたもので、これにより、建家の出入口から出た高齢者が通路を通過して外に出る時間をかせぐことが可能となり職員が対応して高齢者が建物の外に出てしまうことを防ぐことができる。なお、通路の長さの範囲を１０〜２０ｍとしたのは、通路の長さが１０ｍより短いと通路の距離が短くなって職員の対応が遅れて高齢者が建物の外側に出てしまったり、高齢者が外まで近いと感じて進んでしまったりする可能性が高まるからである。また、通路の長さが２０ｍより長いと通路の距離が必要以上に長くなり、現実的ではなくなるためである。
【００１８】
本発明にかかる高齢者介護用建物は、上記の構成に加え、前記通路は、人体を検知して、前記建家の職員に知らせる検知手段を備えるものであってもよい。
【００１９】
ここで、検知手段としては、通路において人体を検知できるものであればよく、具体的な構成を何ら限定するものではないが、例えば、物体の有無を感知する赤外線センサや焦電センサ等の種々のセンサを用いて構成したり、物体を撮像するＣＣＤカメラなどの監視カメラを用いて構成したり、或いは、通路の端に設けられた門扉の開閉を検知するセンサを用いて構成してもよい。
【００２０】
したがって、本発明の高齢者介護用建物によれば、アプローチゾーンの通路上の人を検知して、職員に知らせるもので、これにより、特に、職員の知らない間に高齢者が建家の出入口から出ても、検知手段により検知して、職員に知らせることができるので、高齢者が職員の知らないうちに建物の外に出て行ってしまうことを確実に防止できる。
【００２１】
また、本発明にかかる高齢者介護用建物は、上記の構成に加え、前記出入口を有するエントランスゾーンと、該エントランスゾーンに隣接し、該エントランスゾーンから出入りすると共に、該エントランスゾーンを通過する人を視認可能とし、建物の管理及び事務的な業務を行うマネージメントゾーンと、前記エントランスゾーン及び前記マネージメントゾーンとに隣接し、前記エントランスゾーンを通過して出入りする、建物の職員及び入居している高齢者の共有空間となるパブリックゾーンと、該パブリックゾーンと隣接し、該パブリックゾーンから出入りすると共に、前記アプローチゾーン、前記エントランスゾーン、及び、前記マネージメントゾーンとは、直接出入り不能とされ、入居している高齢者の個人的な空間となるプライベートゾーンとをさらに備えるものであってもよい。
【００２２】
ここで、エントランスゾーンとしては、所謂、玄関に相当するもので、土間、上り、上り框、玄関ホール、階段、階段ホール、エレベータ、エレベータホール、等を含めることができる。なお、エントランスゾーンは、周囲を壁及び扉で囲まれているものとする。マネージメントゾーンとしては、具体的な構成を何ら限定するものではないが、例えば、建物や入居している高齢者の管理などを行う事務所や、来客の応対などを行う相談室、職員が休憩したり仮眠を取ったりする仮眠室、収納スペースとなる倉庫、等を含めることができる。
【００２３】
また、「エントランスゾーンを通過する人を視認可能」とは、エントランスゾーンとマネージメントゾーンとの間を仕切る壁に窓等を設けて、マネージメントゾーンからエントランスゾーンを通過する人を視認することができるものであれば、特に限定するものではない。また、エントランスゾーンとマネージメントゾーンとを出入りする出入口の扉に窓を設けてもよい。
【００２４】
さらに、パブリックゾーンとは、職員と入居している高齢者の共有の空間であって、具体的な構成を何ら限定するものではないが、例えば、居間、座敷、台所、食堂、浴室、脱衣室、トイレ室、洗面所、倉庫、厨房、通路、等の他、デイサービス等を行うための脱衣室、浴室等も含めることができる。なお、居間とは、ここでは、洋風の居間のことを指し、ソファー等が設置されている場所のことを指す。
【００２５】
また、プライベートゾーンとしては、具体的な構成を何ら限定するものではないが、例えば、居室、トイレ室、洗面所、浴室、脱衣室、倉庫、洗濯室、通路、等を含めることができ、入居している高齢者の個人的な空間であり、無用に職員が出入することのない空間である。なお、居室内にトイレ室や洗面所を設けるようにすることもできるが、その場合は、トイレ室や洗面所が予め脱着可能に設けることが望ましい。
【００２６】
したがって、本発明の高齢者介護用建物によれば、建家エントランスゾーン、マネージメントゾーン、パブリックゾーン、及び、プライベートゾーンとで構成し、エントランスゾーンの外側にアプローチゾーンを備えたもので、建物に出入りするには必ずアプローチゾーンを通らなければならない。ここで、マネージメントゾーンからはエントランスゾーンを通る人を視認することができるので、マネージメントゾーンに居る職員は、建家の中へ或いは建家の外へ出入する人を視認することができ、人の出入りを管理することができるので、建家に関係ない人が建家内に入ることを防止することができる。また、無断でエントランスゾーン、アプローチゾーンへ高齢者が出て行ってしまうのを確実に視認することができる。
【００２７】
また、マネージメントゾーンへ用事のある業者や、入居している高齢者の関係者等が、高齢者のいるパブリックゾーンやプライベートゾーンに入ったりすることがないので、高齢者にとっては、職員や他の高齢者以外の知らない人が入ってくることがないので、安心してパブリックゾーンやプライベートゾーンにいることができ、高齢者が、それらの業者などを見ることがないので、不安になったり、帰宅願望を引き起こしたりすることを防止することができる。
【００２８】
なお、エントランスゾーン、マネージメントゾーン、パブリックゾーン及び、プライベートゾーンとで一つのユニットを構成とすることで、建物全体にまとまりを持たすことができ、建物の規模を比較的小規模なものとすることができる。そのため、都心部や住宅地等の広い用地の確保が難しい場所でも建設することができるので、高齢者が長年住みなれた地域内に建設することで、入居に伴なう高齢者の戸惑いや不安を抑制することができ、住み易い環境とすることができる。
【発明の効果】
【００２９】
以上のように、本発明は、高齢者に帰宅願望を引き起こさせたり、拘束感を与えたりすることがなく、職員の知らないうちに高齢者が建物の外に出て行ってしまうことを防ぐことが可能な高齢者介護用建物を提供できる。
【発明を実施するための最良の形態】
【００３０】
以下、本発明の一実施形態である高齢者介護用建物について、図１及び図２に基づき説明する。図１は、高齢者介護用建物の構成を示す平面図である。図２は、高齢者介護用建物のアプローチゾーンと建家の１階との構成を示す平面図である。
【００３１】
この高齢者介護用建物１は、図１に示すように、出入口となるエントランスゾーンＡ，Ａ´と、事務的な業務を行うマネージメントゾーンＢと、職員と高齢者の共有空間となるパブリックゾーンＣと、高齢者の個人的な空間となるプライベートゾーンＤとでユニットを構成する建家２と、建家２のエントランスゾーンＡ，Ａ´に隣接するアプローチゾーンＥと、アプローチゾーンＥに隣接し自動車を駐車するための駐車場３とを主に備えるものである。なお、本例では、高齢者介護用建物１をグループホームとして用いた場合について説明する。また、建家２を１階と２階とで二つのユニットからなるものとして説明する。
【００３２】
プライベートゾーンＤには、高齢者の個人的な空間となるものであり、図２に示すように、高齢者が寝泊りする九つの居室１０と、トイレ室１１と、洗面所１２と、脱衣室１３と、浴室１４と、洗濯室１５と、倉庫１６とを主に備えている。本例においては、パブリックゾーンＣとプライベートゾーンＤとの出入口は、１ヵ所設けられている。そしてパブリックゾーンＣとの出入口から通路１７が設けられており、ここを通って各部屋まで行き来することが可能となっている。なお、上下方向に延びる通路１７の上端には駐車場３に出入りする非常口（図示しない）が設けられている。非常口は、緊急時に使用するものであり、普段の生活においては、高齢者や職員が利用することはない。
【００３３】
パブリックゾーンＣは、高齢者や職員の共有の空間であり、特別の事情の無い限りその他の者は入ることがないとされており、居間２０と、座敷２１と、台所２２と、食堂２３とを主に備えている。パブリックゾーンＣには、プライベートゾーンＤとの境に前述の出入口が設けられているとともに、エントランスゾーンＡとの境に、出入口４４が設けられており、この出入口４４の扉を開けることで、パブリックゾーンＣからエントランスゾーンＡへ、あるいはその逆の、エントランスゾーンＡからパブリックゾーンＣへと出入りすることが可能となる。なお、本例においては、パブリックゾーンＣには、特別な事情が無い限り、職員と高齢者のみが入れるものとされている。
【００３４】
このパブリックゾーンＣの居間２０には、ソファー２４、及び、テレビ２５が設置されている。このテレビ２５の画面の向きは、エントランスゾーンＡとの出入口４４の方向へ向くように設置されており、ソファー２４は、そのテレビ２５の画面の方を向くように配置されている。なお、本例では、居間２０から庭に出入りすることのできる出入口（図示しない）も設けられている。
【００３５】
台所２２は、職員及び高齢者が簡単な調理などを行なえるようになっている。この台所２２を挟んで食堂２３が設けられており、この食堂２３には、複数のテーブル２６と椅子（図示しない）が備えられている。また、食堂２３の出入口４４側には、壁２７が設けられており、出入口４４を入ってすぐに食堂２３や居間２０等が見えないようになっており、あるいはその逆に、食堂２３や居間２０等から視線を変えるだけでは出入口４４が見えないようになっている。
【００３６】
パブリックゾーンＣには、さらに、洗面所２８と、厨房２９とが設けられている。厨房２９は、職員及び高齢者が共同で利用できるようになっている。なお、本例では、厨房２９からアプローチゾーンＥの通路に出入りする出入口（図示しない）も設けられているが、これは、職員が主に利用するものであり、高齢者には判り辛いものとなっている。
【００３７】
エントランスゾーンＡは、１階に設けられているユニットのエントランスゾーンであり、パブリックゾーンＣとの境に前述の出入口４４が設けられているとともに、アプローチゾーンＥとの境に玄関出入口４０が設けられている。エントランスゾーンＡは、パブリックゾーンＣの出入口４４から入るとホール４２が設けられている。このホール４２には、マネージメントゾーンＢの事務室３０へ出入りする事務室出入口４３が設けられている。また、ホール４２の先には、玄関４１が設けられており、玄関出入口４０からアプローチゾーンＥへと出入りすることが可能である。
【００３８】
また、エントランスゾーンＡ´は、２階に設けられているユニットのエントランスゾーンであり、通常、１階のユニットで生活する高齢者が出入りすることはない。エントランスゾーンＡ´は、アプローチゾーンＥのポーチ６４を介して玄関出入口４５から入ると玄関ホール４６が設けられており、この玄関ホール４６には左側に２階へ上がるためのエレベータ４７・階段４８や、収納スペースとなるロッカー４９など設けられている。また、玄関ホール４６には、ロッカー４９と対向する位置に、マネージメントゾーンＢの事務室へ出入りする事務室出入口５０と、玄関出入口４５の出入方向Ｐを最も奥まで進んだ位置に、パブリックゾーンＣへ出入りする食堂出入口５１とが設けられている。なお、食堂出入口５１は、１階のユニットで生活する高齢者が出入しないように、例えば、壁と扉とを区別が付き難くいように同じような感じにすると共に、扉の取っ手なども判り難い構造としている。
【００３９】
マネージメントゾーンＢは、エントランスゾーンＡの事務室出入口４３，５０から出入する事務室３０を備えている。事務室３０とエントランスゾーンＡ及びアプローチゾーンＥとを隔てている壁、詳しくは、事務室３０と、ポーチ６３，６４，玄関４１，玄関ホール４６とを隔てている壁には、それぞれ４つの小窓（図示しない）が設けられており、ポーチ６３，６４，玄関４１，玄関ホール４６を通過する人を事務室３０の内部から視認することが可能である。マネージメントゾーンＢには、このほか、事務室３０から利用可能な倉庫３１・トイレ室３２などが設けらている。
【００４０】
アプローチゾーンＥは、図２に示すように、建家２の玄関４１に隣接しているものであり、建家２に出入する人が通る通路６０と、その通路６０の端に設けられ、敷地への出入口となる門６１と、外構の一部をなし、建家２の内部から玄関出入口４０を介してその出入方向を見た際に、敷地の外の景色が明確には視認不可能とする遮蔽手段６２とを主に備えている。
【００４１】
通路６０は、建家２の玄関出入口４０から、玄関先の屋外にあって上部が屋根で覆われているポーチ６３を介して、玄関出入口４０の出入方向（矢印Ｐ）に対して左右両側に分岐して設けられている。また、通路６０は、玄関出入口４０から門６１までの長さが約１２ｍである。また、通路６０の両側はレンガで仕切られており、この通路６０の周囲に、花壇６５、植栽６６、菜園６７などが設けられている。
【００４２】
門６１は、通路６０において出入方向Ｐから図中左側に曲がった方の端に設けられており、駐車場３とアプローチゾーンＥとの出入口となっている。この門６１には、検知手段が設けられており、人が門扉を開閉して門６１を通過すると検知手段がこれを検知し、建家２の内部にいる職員等に知らせるようになっている。
【００４３】
遮蔽手段６２は、建家２のエントランスゾーンＡから玄関出入口４０を介して外を見た際に、敷地の外の景色が明確には視認不可能とするものであり、植栽６６、網状のフェンス６８などによって構成されている。この遮蔽手段６２は、植栽６６、フェンス６８などによって構成されていることから、敷地の外側から外光が射すなど、高齢者が敷地の内側から見て、敷地の外側を見る自由を奪われているといった拘束感を与えることがない。
【００４４】
なお、本例の建家２の２階もまた、エントランスゾーンＡ´、マネージメントゾーンＢ、パブリックゾーンＣ、及び、プライベートゾーンＤからなるユニットとされており、１階とほとんど同じ構成とされている。よって、詳細な説明を省略する。
【００４５】
次に、本例の高齢者介護用建物１の作用について説明する。高齢者介護用建物１では、高齢者は、基本的に建家２のプライベートゾーンＤ及びパブリックゾーンＣで生活している。そして、職員の目が離れているときなど何らかの理由で、高齢者が、仮に出入口４４を通過してエントランスゾーンＡに出て、玄関出入口４０を介してその出入方向Ｐを見ても、遮蔽手段６２によって外の景色を明確に視認することがない。
【００４６】
また、高齢者介護用建物１では、職員の目が離れているときなど何らかの理由で、高齢者が、仮に玄関出入口４０を通過してポーチ６３に出ても、高齢者介護用建物１の敷地の外まで行く場合、アプローチゾーンＥの通路６０を通過することになる。この通路６０は、玄関出入口４０の出入方向Ｐに対して直線的に設けられておらず、ある程度進んだところで、遮蔽手段６２によって遮られ図中左右方向に分岐していることから、高齢者は、建家２から出て高齢者介護用建物１の外まで行く際に、玄関出入口４０の出入方向Ｐからそのまま直線的に進むことができず左右のどちらかに曲がらなければならなくなる。
【００４７】
さらに、高齢者介護用建物１では、職員の目が離れているときなど何らかの理由で、高齢者が建家２から出てしまっても、アプローチゾーンＥの通路６０の門６１に検知手段が設けられているため、検知手段によって検知され、建家２のマネージメントゾーンＢの事務室３０で建物の職員に知らされることになる。
【００４８】
アプローチゾーンＥから建家２に出入する場合、１階には玄関出入口４０から建物内のエントランスゾーンＡへと入ることとなる。そして、マネージメントゾーンＢの事務室３０に用事のある場合は、事務室出入口４３から事務室３０に出入する。このように、パブリックゾーンＣやプライベートゾーンＤに入らなくても、事務室３０に用事のある人等は、建物を利用することができる。
【００４９】
職員及び高齢者は、通常、エントランスゾーンＡの出入口４４からパブリックゾーンＣへ出入する。この時、玄関４１は事務室３０から視認することができるので、事務室３０にいる職員は、玄関４１を出入りする人が判るので、高齢者が無断で外出したり、建物と関係の無い人が入ってくるのを防止することができる。
【００５０】
また、パブリックゾーンＣの居間２０に設置されたテレビ２５は、その画面の向きが、エントランスゾーンＡとの出入口４４の方向へ向くように設置されており、ソファー２４に腰掛けている高齢者の目線をテレビ２５の方へ誘導することで、高齢者の目線を出入口４４から遠ざけるようにしている。また、台所２２を、出入口４４から離れた位置に設けることで、食堂２３にいる高齢者の目線を台所２２の方へ誘導し、高齢者の目線を出入口４４から遠ざけるようにしている。さらに、食堂２３と出入口４４との間に壁２７を設けており、これによって、食堂２３や居間２０等から視線を変えるだけでは出入口４４が見えないようになっている。なお、このパブリックゾーンＣには、常時職員が配置されており、高齢者に対して即対応できるようになっている。
【００５１】
このように、上記の高齢者介護用建物１によれば、外の景色などを見ることによって高齢者が帰宅願望を引き起こすのを抑制することが可能となる。特に痴呆性高齢者の場合は、帰宅願望により周辺症状を誘発して混乱状態となることを防止できる。また、玄関出入口４０を出てから左に曲がってからでないと門６１が見えないことから、建家２の内部からは、高齢者が門６１での人の出入りを見たりすることができないため、門６１での人の出入を見ることで、その人を自分の親族、知り合いと思い込んでしまい、高齢者が帰宅願望を引き起すことを防止できる。
【００５２】
また、上記の高齢者介護用建物１によれば、高齢者が、職員の目が離れている隙に建物２の玄関出入口４０から外側へと出てしまっても、遮蔽手段６２により通路６０が曲がっているので、その曲り角（符号Ｆ）で、立ち止まらせたり、速度を落とさせたりすることが可能となり、その間に職員などが追いついて高齢者を保護することができる。
【００５３】
特に、上記の高齢者介護用建物１によれば、通路６０の周りに花壇６５，植栽６６，菜園６７などが配置されていることから、高齢者が建物２の外に出てしまっても、通路６０の周りの花壇６５，植栽６６，菜園６７などに高齢者に注目を集めることが可能となり、そこで高齢者を立ち止まることができ、その間に職員などが高齢者を保護することができる。
【００５４】
また、上記の高齢者介護用建物１によれば、上記の効果を奏するアプローチゾーンＥを備えたことにより、門６１や建物２の玄関出入口４０などを常に閉塞して鍵を掛ける必要がなく、それにより高齢者に対して拘束感を与えるのを抑制することができる。
【００５５】
また、上記の高齢者介護用建物１によれば、玄関出入口４０から門６１までの長さを約１２ｍとしたことで、建物２の玄関出入口４０から出た高齢者が通路６０を通過して外に出る時間をかせぐことが可能となり職員が対応して高齢者が高齢者介護用建物１の外に出てしまうことを防ぐことができる。
【００５６】
また、上記の高齢者介護用建物１によれば、アプローチゾーンＥの門６１に検知手段を設けたことにより、職員の知らない間に高齢者が建物２の玄関出入口６０から出ても、職員に知らせることができるので、高齢者が職員の知らないうちに高齢者介護用建物１の外に出て行ってしまうことを確実に防止できる。
【００５７】
さらに、上記の建家２は、２階建てとしているので、例えば、１階はグループホーム、２階は特定施設等といったようにすることができ、各階が略同一のユニットで構成されているので、高齢者が、心身の状態の変化に伴なって、他のユニットに移っても、周りの環境が同じような環境なので、戸惑ったり不安を覚えたりすることが無く、安心して生活することができる。
【００５８】
以上、本発明について好適な実施の形態を挙げて説明したが、本発明は、この実施の形態に限定されるものではなく、以下に示すように、本発明の要旨を逸脱しない範囲において、種々の改良及び設計の変更が可能である。
【００５９】
１．本実施の形態では、本発明をグループホームに適用した場合について説明したが、特定施設、有料老人ホーム、介護福祉施設、軽費老人ホーム、ケアハウス、通所介護、短期入所介護施設、あるいは、将来的に特定施設やグループホームなどになることを前提とした住宅・マンション・アパートなどにも適用してもよい。これらに用いた場合でも、高齢者や利用者が安心して利用できるようになっている。
【００６０】
２．本実施の形態では、アプローチゾーンＥと建家２との間取りを、図２に示すような間取りをとして示したが、これに限定するものではなく、エントランスゾーンＡ、マネージメントゾーンＢ、パブリックゾーンＣ、及び、プライベートゾーンＤを一つのユニットとしてなる建家２と、アプローチゾーンＥとの関係が本発明の要件を満たすものであれば、どのような間取りであってもよい。
【００６１】
３．本実施の形態では、建家２を、二つのユニットを上下に積み重ねたものを例示したが、これに限定するものではなく、２ユニット以上積み重ねてもよい。また、複数のユニットを横方向に並べてもよい。さらには、上下及び横方向に組み合わせるようにしてもよい。これらの場合、各ユニット毎に行政上の運営形態を異なるものとしてもよく、それによると、一つの建物において、種々の介護に対応することができ、建家をより利用価値の高い多機能型施設とすることができる。
【００６２】
上記１〜３の例を示すと、例えば、高齢者介護用建物８０は、図３に示すような、グループホームとデイサービスとの両方のサービスを提供できるような構成になっている。これにより、デイサービスを利用する高齢者に対しても上記と同様の効果を奏することができる。この例の高齢者介護用建物８０では、パブリックゾーンＣが、グループホーム側のパブリックゾーンＣ１と、デイサービス側のパブリックゾーンＣ２とで構成されており、通常は、利用する高齢者が両パブリックゾーンＣ１，Ｃ２間を勝手に行き来できないようになっている。なお、図３においては、図２の例と同じ構成のものについては、同一の符号を付してある。また、この例のグループホームは、図示は省略するが、プライベートゾーンＤが一階と二階とに分割された形態となっている。
【００６３】
４．本実施の形態では、玄関出入口４０から門６１までの長さを約１２ｍとしたものを示したが、これに特に限定されるものではなく、１０〜２０ｍの範囲で適宜選択して設けることができる。なお、通路の長さの範囲を１０〜２０ｍと定めたのは、通路の長さが１０ｍより短いと通路の距離が短くなって職員の対応が遅れると建物の外側に出てしまったり、高齢者が外まで近いと感じて進んでしまったりする可能性が高まるからである。また、通路の長さが２０ｍより長いと通路の距離が必要以上に長くなり、現実的ではなくなるためである。
【００６４】
５．本実施の形態では、検知手段を通路６０の門６１に設けたものを示したが、これに特に限定されるものではなく、通路６０上の人体を検知可能であれば通路６０のどこに設けてもよい。例えば、玄関出入口４０付近に検知手段を設ければ、高齢者が建物２の外へ出た早い段階で職員に知らされることになるため、職員がすばやく対応することができる。
【産業上の利用可能性】
【００６５】
高齢者に対して種々の介護サービスを提供するための建物に利用できる。
【図面の簡単な説明】
【００６６】
【図１】本発明の一実施形態である高齢者介護用建物の構成を示す平面図である。
【図２】高齢者介護用建物のアプローチゾーンと建家の１階との構成を示す平面図である。
【図３】本発明の他の実施形態である高齢者介護用建物の構成を示す平面図である。
【符号の説明】
【００６７】
１  高齢者介護用建物
６０  通路
６２  遮蔽手段
Ａ，Ａ´  エントランスゾーン
Ｂ  パブリックゾーン
Ｃ  パブリックゾーン
Ｄ  プライベートゾーン
Ｅ  アプローチゾーン
【図１】
2005290893.tif 000003
【図２】
2005290893.tif 000004
【図３】
2005290893.tif 000005